(57)【要約】      （修正有）【課題】装置の容積を増大させることなく、またインサービス状態でアップグレードができる伝送装置とそのアップグレード方法を提供する。【解決手段】受信側及び送信側の二重化されたインターフェースカードIF(R)、IF(S)と、インターフェースカード単位等の単位で切り替える機能を有するSTS又はVCスイッチカードSTS-SWと、該切り替え時に信号経路を設定する監視部MCとを備え、アップグレードさせるときに、スタンバイ側のインターフェースカードをより大きな容量のものに交換し、監視部MCがアクティブ側のインターフェースカードの設定と同じ設定を行い、監視部MCが、STS又はVCスイッチカードSTS-SWと送信側インターフェースカードIF(S)のスイッチ部SWを制御することにより、該スタンバイ側のインターフェースカードIFをアクティブ側に切り替え、今までアクティブ側だったインターフェースカードIFをスタンバイ側に切り替えると共に該容量のものに交換する。【選択図】    図１
2006279176.tif 000002
【特許請求の範囲】
【請求項１】
複数種別の交換可能な受信側及び送信側の二重化されたインターフェースカードと、
該受信側及び送信側インターフェースカード間で、同期デジタル網の転送単位で信号経路を設定すると共にインターフェースカード単位、ライン単位、パス単位の内の少なくとも一つの二重化系を切り替える機能を有する転送単位スイッチカードと、
前記二重化されたインターフェースカードの一方を、他の種別のインターフェースカードに交換した時に、前記二重化されたインターフェースカードの他方の設定に応じて、該転送単位スイッチカード及び該交換したインターフェースカードを設定する監視部と、
を備えたことを特徴とする伝送装置。
【請求項２】
複数種別の交換可能な受信側及び送信側の二重化されたインターフェースカードと、
該受信側及び送信側インターフェースカード間で、同期デジタル網の転送単位で信号経路を設定すると共にインターフェースカード単位、ライン単位、パス単位の内の少なくとも一つの二重化系を切り替える機能を有する転送単位スイッチカードと、
該切り替え時に該転送単位スイッチカード及び該送信側のインターフェースカードを制御して信号経路を設定する監視部と、
を備えたことを特徴とする伝送装置。
【請求項３】
請求項1または２に記載の伝送装置のアップグレード方法であって、
インサービス中に、該二重化されたインターフェースカードの伝送容量を増加させてアップグレードさせるとき、
スタンバイ側のインターフェースカードをより大きな容量のものに交換し、
該監視部がアクティブ側のインターフェースカードの設定と同じ設定を行い、
該監視部が、該転送単位スイッチカードと送信側インターフェースカードを制御することにより、該スタンバイ側のインターフェースカードをアクティブ側に切り替えると共に、今までアクティブ側だったインターフェースカードをスタンバイ側に切り替え、そして、
該スタンバイ側に切り替えられたインターフェースカードを該容量のものに交換する、
ステップを備えたことを特徴とする伝送装置のアップグレード方法。
【請求項４】
請求項1または２に記載の伝送装置のアップグレード方法であって、
該転送単位スイッチカードが二重化されており、物理的な大きさが異なるインターフェースカードに交換するか、又はアップグレードに伴って該インターフェースカードのスロットを移動させるとき、該監視部が、
二重化されている該転送単位スイッチカードのアクティブ側に旧設定を残すと共に、スタンバイ側に新設定を行い、
該送信側のインターフェースカードを制御することにより、両転送単位スイッチカード間の切替えを行い、そして、
該旧設定の転送単位スイッチカード一方に該新設定を行う、
ステップを備えたことを特徴とする伝送装置のアップグレード方法。
【請求項５】
請求項1または２に記載の伝送装置のアップグレード方法であって、
該転送単位スイッチカードが二重化されており、インサービス中にその伝送容量を増加させてアップグレードさせるとき、
スタンバイ側の転送単位スイッチカードをより大きな容量のものに交換し、
該監視部が、アクティブ側の転送単位スイッチカードの設定と同じ設定を行い、
該監視部が、該送信側のインターフェースカードを制御することにより、該スタンバイ側の転送単位スイッチカードをアクティブ側に切り替えると共に、今までアクティブ側だった転送単位スイッチカードをスタンバイ側に切り替え、そして、
該スタンバイ側に切り替えられた転送単位スイッチカードを該容量のものに交換する、
ステップを備えたことを特徴とする伝送装置のアップグレード方法。
【発明の詳細な説明】
【技術分野】
【０００１】
本発明は伝送装置とそのアップグレード方法に関し、特に、サービス中の回線の伝送容量を増加させることができる伝送装置とその使用方法としてのアップグレード方法に関するものである。
【０００２】
インターネットに代表されるトラフィックの増大は著しく、これに伴って伝送装置の伝送容量の増加(以下、アップグレードと称することがある。)が必要になっており、しかもサービス断無し(インサービス)でこれを実施することが求められている。
【背景技術】
【０００３】
従来から知られている伝送装置のインサービスアップグレード方法とは、特許文献1に示すリング伝送システムの異方式移行方法および伝送装置がある。この特許文献1では、回線のインサービスのまま、Uni-directional Path Switched Ring(ＵＰＳＲ)方式で構築されていたリング伝送システムをBi-directional Line Switched Ring(ＢＬＳＲ)方式に移行させている。
【０００４】
このため、まず、ＵＰＳＲ方式の制御カード(１ｈ)をＢＬＳＲ方式の制御カードに置き換える。また、パススイッチ(１ｇ)を切替えてスタンバイ側のＵＰＳＲ方式の多重・分離変換カード(１ｅ)を、ＵＰＳＲ方式の動作を行うように設定されたＢＬＳＲ方式の第１の多重・分離変換カードに置き換える。また、パススイッチ(１ｇ)を再度切替えてスタンバイ側のＵＰＳＲ方式の多重・分離変換カード(１ｂ)を、ＵＰＳＲ方式の動作を行うように設定されたＢＬＳＲ方式の第２の多重・分離変換カードに置き換える。そして、第１の多重・分離変換カードおよび第２の多重・分離変換カードにＢＬＳＲ方式の動作を行わせ、回線配置をＵＰＳＲ方式からＢＬＳＲ方式へ変更している。
【０００５】
また、別の従来例としては、特許文献2に示す伝送装置のアップグレード方法がある。この特許文献2では、既存の伝送装置(1A)及び新たに追加する高速伝送装置(2A)の双方にクロスコネクト機能を持つＡＤＭ装置を用い、伝送装置(1A)の高速側インターフェース装置が搭載されている位置に該伝送装置の低速側インターフェース装置が搭載できる様に、低速側インターフェース装置と互換性を持たせた信号線の配置とすることで、既存の装置を低速側インターフェース装置のみの搭載も可能な装置とする。この低速側インターフェース装置のみを搭載した装置に新たな高速側インターフェース装置を搭載した装置(3A)を加えることで、既存の装置を利用したより高速の伝送装置を構成している。
【特許文献１】特開平9-214438
【特許文献２】特開平8-335922
【発明の開示】
【発明が解決しようとする課題】
【０００６】
しかしながら、上記の特許文献1によるアップグレード方法はネットワークの回線利用効率を高めることで実質的な伝送容量増加を図るものであり、インターフェースカードは変更されないため、伝送容量の増加量に限りがある。
【０００７】
また、特許文献2によるアップグレード方法は、既設の伝送装置を高速装置に接続するというように、高速装置を追加することによって伝送容量増加を図るものであり、伝送容量の増加に伴って装置の容積も増大することになる。また、インターフェースカードを交換して伝送容量を増加させる場合は、異なる種類のインターフェースカードを用いた二重化ができないため、既存設定を削除して、より大容量のインターフェースカードに交換して新たな設定を行うため、設定削除から新設定の間はサービス断になっていた。
【０００８】
そこで本発明は、装置の容積を増大させることなく、またインサービスでアップグレードができる伝送装置とそのアップグレード方法を提供することを目的とする。
【課題を解決するための手段】
【０００９】
上記の目的を達成するため、本発明に係る伝送装置は、複数種別の交換可能な受信側及び送信側の二重化されたインターフェースカードと、該受信側及び送信側インターフェースカード間で、同期デジタル網の転送単位で信号経路を設定すると共にインターフェースカード単位、ライン単位、パス単位の内の少なくとも一つの二重化系を切り替える機能を有する転送単位スイッチカードと、前記二重化されたインターフェースカードの一方を、他の種別のインターフェースカードに交換した時に、前記二重化されたインターフェースカードの他方の設定に応じて、該転送単位スイッチカード及び該交換したインターフェースカードを設定する監視部と、を備えたことを特徴としている。
【００１０】
また、本発明に係る伝送装置は、複数種別の交換可能な受信側及び送信側の二重化されたインターフェースカードと、該受信側及び送信側インターフェースカード間で、同期デジタル網の転送単位で信号経路を設定すると共にインターフェースカード単位、ライン単位、パス単位の内の少なくとも一つの二重化系を切り替える機能を有する転送単位スイッチカードと、該切り替え時に該転送単位スイッチカード及び該送信側のインターフェースカードを制御して信号経路を設定する監視部と、を備えたことを特徴としている。
【００１１】
本発明に係る伝送装置のアップグレード方法は、概略的には、二重化したインターフェースカードIFのスタンバイ側を交換すると共にアクティブ側にし、今までアクティブ側だった未交換側カードをスタンバイ側にしてからこれも交換するというように一方ずつ交換する。
【００１２】
このアップグレード方法では下記の種々の動作を実行することができる。
【００１３】
まず、インターフェースカードの交換途中(アップグレード中)の二重化ペアは伝送容量が異なるものになるが、既存回線容量分の設定と同じ内容を新規インターフェースカード用に変換して設定し、増加分は未使用設定を行う。アップグレード中の増加分については二重化の相手が存在しないため、新たな設定は不許可とし、アップグレード完了後に増加分に対する設定を許可する。
【００１４】
新規インターフェースカードを使用するために必要な設定は、同期デジタル網としてのSONET（Synchronous Optical NETwork）、またはSDH（Synchronous Digital Hierarchy）のセクションオーバーヘッド(SOH)およびラインオーバーヘッド(LOH)に関するものと、SONETにおける転送単位としての同期転送信号（STS：Synchronous Transport Signal）パス又はSDHにおける転送単位としてのバーチャルコンテナ（VC：Virtual Container）パスに関するものがあるが、新規インターフェースカードに適用する既存回線の設定と増加分の未使用設定の内容は、交換するインターフェースカードの種類によって異なる。
【００１５】
例えば、SONETにおけるオプティカルキャリアOC3（SDHにおける同期転送モジュールSTM-1）からOC12（SDHにおけるSTM-4）にアップグレードする場合、伝送容量(ビットレート)を増加させる場合のSOHおよびLOHに関する設定は既存回線と同じ設定であり、STSパス（SDHにおけるVCパス）に関する設定の既存回線容量分は既存回線と同じ設定であり、増設回線容量分は未使用設定を行う。
【００１６】
また、例えば、Single OC12（OC12のインタフェースインターフェースを１つ有するインタフェースインターフェースカード）からQuad OC12（OC12のインタフェースインターフェースを４つ有するインタフェースインターフェースカード）にアップグレードするというように、インターフェースカードに実装するポート数を増加させる場合は、既存ポート数までの設定は既存回線と同じ設定であり、増加分はSOHおよびLOHとSTSパス（又はVCパス）に対して未使用設定を行う。伝送容量とポート数が共に変わる場合は、前述した２つの内容を組み合わせることになる。
【００１７】
また、STS（又はVC）スイッチカードが二重化されており、アップグレードするインターフェースカードの物理的大きさが異なる場合や、アップグレードによって実装するスロット位置が変更になる場合は、伝送装置内でトラフィックを通す経路が変わるため、STS（又はVC）スイッチカードの設定も変更する。これは二重化の切替えを行うスイッチが変わるため、アクティブ側のインターフェースカードを通しているトラフィックにも影響する。
【００１８】
これを回避するため、該STS又はVCスイッチカードが二重化されており、物理的な大きさが異なるインターフェースカードに交換するか、又はアップグレードに伴って該インターフェースカードのスロットを移動させるとき、該監視部が、二重化されている該STS又はVCスイッチカードのアクティブ側に旧設定を残すと共に、スタンバイ側に新設定を行い、該送信側のインターフェースカードを制御することにより、両STS又はVCスイッチカード間の切替えを行い、そして、該旧設定のスイッチSTSスイッチカード一方に該新設定を行うことで瞬間的に設定変更したことと同じ効果を得る。このようにすることでインターフェースカードをインサービスで交換可能にする。
【００１９】
STSスイッチカードをアップグレードする場合は、二重化されたSTS又はVCスイッチカードSTS-SWのスタンバイ側を新STS又はVCスイッチカードSTS-SWに交換し、旧STS又はVCスイッチカードSTS-SWと同じ設定を行ってから、旧STS又はVCスイッチカードを新STS又はVCスイッチカードに交換することによりインサービスで交換することを可能とする。
【００２０】
誤操作による回線断を防ぐ手段として、アップグレード前の設定に戻す機能を設ける。
【００２１】
伝送装置は設定値を、監視部内のデータベースに記録することで、インターフェースカード抜挿や、電源断から復旧する機能を具備している。そして、アップグレード開始から完了まで間はアップグレード対象のインターフェースカードに対する設定をデータベースに記録せず、アップグレード完了時点でデータベースに記録する。
【００２２】
このようにすることでデータベースに記録された設定を呼び出すだけで元の設定に戻すことが可能となる。
【００２３】
通常状態と異なるアップグレード中の動作である、インサービス中のインターフェースカード種別変更と、異種インターフェースカードによる二重化と、新規インターフェースカードへの既存設定と、増加分に対する未使用設定と、転送単位スイッチカードへの新旧設定と、データベース非更新と、を行うため、ユーザーにアップグレード中であることを明確に示すためのアップグレードモードを監視部に設ける。
【発明の効果】
【００２４】
以上のような本発明の構成により、アップグレード中も二重化している状態を保持して障害時に切替えができ、インターフェースカードをインサービスで交換して伝送容量増加させる、すなわちアップグレードすることができ、インサービスアップグレードを省スペースで実現することができる。また、不測の事態に至った場合に容易にアップグレード前の状態に戻ることができる。なお、本説明ではプロテクション側を先に交換するが、ワーク側を先に交換しても同じ効果が得られる。
【発明を実施するための最良の形態】
【００２５】
図1は本発明に係る伝送装置の一実施例を示す。この伝送装置1は複数のインターフェースカードIF1(R)〜IFn(R)(以下、IF(R)又はIF総称することがある。)及びIF1(S)〜IFn(S)(以下、IF(S)又はIFで総称することがある。)と、二重化されたSTSスイッチカードSTS-SW(W)(ワーク側)及びSTS-SW(P)(プロテクション側)と、監視制御部MCとを含んでいる。なお、本発明は、同期デジタル網としてのSONETにおける転送単位である同期転送信号（STS）だけでなく、SDHにおける転送単位であるバーチャルコンテナ（VC）にも適用可能であるが、以下の説明では、“STS”を代表として用いる。また、STSスイッチカードSTS-SWは二重化されていなくてもよい。
【００２６】
インターフェースカードに関しては、例えば、インターフェースカードIF1(R)とIF2(R)、IF3(R)とIF4(R)、・・・はそれぞれ二重化(ワーク側とプロテクション側)されている。例えば、IF1(R)がワーク側、IF2(R)がプロテクション側で一対の二重化構成となっている。また、インターフェースカードIF1(S)とIF2(S)、IF3(S)とIF4(S)、・・・もそれぞれ二重化されている。
【００２７】
そして、一般的には入力側(受信側)のインターフェースカード(例えばIF1(R))の機能と出力側(送信側)のインターフェースカード(例えばIF1(S))の機能は1枚のインターフェースカード中に設けられている。
【００２８】
また、STSスイッチカードSTS-SW(W)及び(P)(以下、STS-SWで総称することがある。)は、さらに、論理的スロット位置を変更できるスロットチェンジ部SLOT(R)及びSLOT(S)と、二重化されたインターフェースカードIF(R)からの信号をSTS単位に選択するスイッチ部SW1及びSW2(以下、SWで総称することがある。)と、STS単位のクロスコネクト部TSI(Time Slot Interchange)と、二重化されたインターフェースカードIF(S)に信号を分配するブリッジ部BR1及びBR2(以下、BRで総称することがある。)とを有する。監視制御部MCは、下記の表1に示したインターフェースカードIFとSTSスイッチカードSTS-SWへの設定データを保存するデータベースDBを有し、外部端末2と接続されている。なお、受信側のインターフェースカードIF(S)には、それぞれ、二重化されたSTSスイッチカードSTS-SW(W)(ワーク側)及びSTS-SW(P)(プロテクション側)からの出力のいずれかを選択して入力するスイッチ部SW11〜SWnが設けられている。
【００２９】
【表１】
2006279176.tif 000003
【００３０】
図1に示したSTSスイッチカードのスイッチ部SWは、インターフェースカードIFの最大容量がOC48である場合には、例えば図2に示すようにSTS（STS-1)単位のスイッチを48個連ね、同図に点線で示したOC3単位、OC12単位、OC48単位にインターフェースカードIFの種類に応じて一度に動作するスイッチの数を設定できるようになっており、ブリッジ部BRも同様の構成である。
【００３１】
SONET等で規定されているラインスイッチにより二重化する場合は、スロットチェンジ部SLOTにより任意の２つのインターフェースカードIFをペアとしてスイッチ部SWとブリッジ部BRに接続し、スイッチ部SWは、1＋1二重化方式に対応するため、図3(a)に示すように２入力から選択し、ブリッジ部は同図(b)に示すように信号を分配する。
【００３２】
STSスイッチカードSTS-SWにより二重化する場合(UPSR二重化方式の場合)は、図4(a)及び(b)に示すようにスイッチ部SW及びブリッジ部BRはストレートに接続し、スロットチェンジ部TSIで任意のパスをペアとして選択するように構成している。
【００３３】
図5は、上述した本発明に係る伝送装置によるインサービスアップグレード方法の手順(ステップS1〜S10)を示す。以下、このインサービスアップグレード手順を、SONETに規定されている1+1ラインスイッチで二重化したOC12カードをOC48カードにアップグレードする例を、図6(1＋1二重化切替方式)を参照して説明する。なお、図6のノードA又はノードBが、それぞれ図1に示す伝送装置に対応(STSスイッチカードは単一)している。また、下記の表2〜表4は、インサービスアップグレード手順におけるSTSスイッチカードSTS-SWとインターフェースカードIFに対するデータベースDBへの設定内容を示す。
【００３４】
【表２】
2006279176.tif 000004
【００３５】
【表３】
2006279176.tif 000005
【００３６】
【表４】
2006279176.tif 000006
【００３７】
ステップS1：
通常、伝送装置1は不用意な設定変更による回線断を防ぐため、クロスコネクト部TSIでクロスコネクト設定されている状態（インサービス状態）でのインターフェースカード種別変更設定を行わないが、アップグレードモードに設定することにより、インサービス状態でもインターフェースカード種別変更を許容し、代わりにインターフェースカード種別変更設定をデータベースDBに保存しない状態にする。
ステップS2：
STSスイッチカードSTS-SWのスイッチ部SWの接続が図3(a)の実線側になるように切り替えてワーク側をアクティブ状態にし、プロテクション側をスタンバイ状態にする(図6(1)参照。)。
ステップS3，S4：
スタンバイとなったプロテクション側のインターフェースカード種別をOC48に変更する。変更指定されたインターフェースカードの種類がアップグレード不可能な場合は、次の手順には進まない。例えば、アクティブ側のインターフェースカードが、図6(2)に示すようにOC12の場合、容量が減少するOC3やSONETではない種類の信号を通すインターフェースカードを指定された場合には、アップグレード不可能と判断する。従って、アップグレード可能なインターフェースカード種別が変更指定された時点で、アップグレードの種別がビットレートを増やす場合であるか、ポート数を増やす場合であるか、あるいはその両方か、が決定される。
ステップS5：
プロテクション側のインターフェースカードを交換する(図6(2)参照。)。従来から伝送装置は、設定されたインターフェースカード種別と、実装されたインターフェースカード種別が異なる誤実装状態では、設定をインターフェースカードに書き込まない機能を有するので、インターフェースカード種別変更設定とインターフェースカード交換は順番を逆にしても次の手順に進むことができる。
【００３８】
インターフェースカード種別変更設定を先に行った場合は、その時点で既設プロテクション側インターフェースカードはOC12カードのままであるため誤実装になり、新規設定がインターフェースカードに書き込まれず、インターフェースカードを交換した時点で新規設定が書き込まれる。
【００３９】
インターフェースカードの交換を先に行った場合は、新規プロテクション側インターフェースカードであるOC48カードは誤実装になり、既設定はインターフェースカードに書き込まれず、インターフェースカード種類変更を行った時点で新規設定がインターフェースカードに書き込まれる。
【００４０】
インターフェースカード種別変更設定を行った時点で、STSスイッチカードSTS-SWには上記の表3に示した条件に従い、スイッチ部SWとブリッジ部BRにOC48単位で動作する設定を書き込み、クロスコネクト部TSIのSTSチャンネルch1から12は以前のOC12カードの既設定であるのでそのままにしておき、新規容量分であるSTSチャンネルch13から48には未使用を示すUnequipped設定を書き込む。新規インターフェースカードの大きさや実装位置が既設インターフェースカードと同じ場合は、スロットチェンジ部SLOTに対する設定変更はない。インターフェースカード種別変更設定とインターフェースカード交換した時点で、インターフェースカードには上記の表4に示した条件に従い、既設インターフェースカードと同じSOHおよびLOH設定が書き込まれる。
【００４１】
この時点で、図６（２）に示すように、プロテクション側であるOC48間では、ワーク側であるOC12間と同一のデータ転送がなされており、受信側のスイッチ部で選択されない構成となる。すなわち、異なる容量を持つワーク側ライン（OC12)とプロテクション側ライン（OC48）による、容量OC12についての１＋１ライン切り替えが可能な状態となる。
ステップS6：
STSスイッチカードSTS-SWのスイッチ部SWの接続を、図3(a)の点線側になるように切り替えてワーク側をスタンバイ状態にし、プロテクション側をアクティブ状態にする(図6(3)参照。)。
【００４２】
上述したとおり、この切り替えはSONET／SDHに規定された１＋１ライン切り替えの方法に従って行うことができる。
ステップS7，S8：
スタンバイ状態となったワーク側のインターフェースカード種別をOC48に変更する。
【００４３】
指定されたインターフェースカード種別の変更先がアップグレード不可能な場合は、次の手順には進まない。アップグレード完了後は、同種のインターフェースカードである必要があるため、アクティブ側（この時点ではプロテクション側）のインターフェースカードがOC48の場合、異なるインターフェースカード、例えばOC12カード等が指定されたら、アップグレード不可能と判断する。
ステップS9：
ワーク側のインターフェースカードを交換する(図6(4)参照。)。インターフェースカード種別変更設定とインターフェースカード交換した時点でインターフェースカードには表4に示した条件に従い、既設インターフェースカードと同じSOHおよびLOH設定が書き込まれる。
【００４４】
1+1ラインスイッチで二重化している場合は、スロットチェンジ部SLOTとスイッチ部SWとブリッジ部BRとクロスコネクト部TSIの設定はインターフェースカードのワーク側とプロテクション側のセットに１つの設定であるので、表3の脚注に示したようにプロテクション側インターフェースカード種別変更設定時のSTSスイッチカードに対する設定変更はない。
ステップS10：
アップグレードモードを解除することにより、インサービス状態でのインターフェースカード種別変更設定を不許可とし、これまでの手順の設定変更を確定させるためデータベースに書き込む。
【００４５】
以上の過程の終了時点では、図６（４）に示すように、ワーク側がスタンバイ、プロテクション側がアクティブとなっている。必要に応じてワーク側をアクティブ、プロテクション側をスタンバイ状態に切り替える過程を加えても良い。
【００４６】
このようにしてインターフェースカードIFをインサービスで交換することができる。
UPSRアップグレード例
本発明によりOC12リングネットワークをOC48リングネットワークにアップグレードを行う手順の実施例を、図7を参照して以下に説明する。
【００４７】
同図(1)はアップグレードする前のOC12リングネットワーク構成例を示す図であり、同図(2)はアップグレード途中のネットワーク構成例を示す図であり、同図(3)は同図(2)からさらにアップグレード手順を進めたアップグレード途中のネットワーク構成例を示した図である。この例では、STSスイッチカードSTS-SWのクロスコネクト部TSIが設定されている場合にノードA−ノードD間をつなぐOC12インターフェースカードをOC48インターフェースカードに、STSパス単位にアップグレードする手順を説明する。
【００４８】
まず、同図(1)に示すように、ノードDとノードBのSTSスイッチカードSTS-SWを切替えてノードB−ノードC−ノードDの経路を信号が通るようにして、点線で示すようにノードA−ノードD間の信号が選択されていない状態にする。
【００４９】
次に、ノードAとノードBにアップグレードモードを設定し、インターフェースカード種別変更設定を許容する状態にしてインターフェースカード種別を同図(2)に太線で示すようにOC48カードに設定変更し、インターフェースカードの交換並びに光ファイバー接続を行う。
【００５０】
このときインターフェースカードに関しては、OC12インターフェースカードに設定していたSOHおよびLOHに関する設定と同じ内容を変換してOC48インターフェースカードに設定し、STSスイッチカードSTS-SWに関しては、OC12インターフェースカードのSTSチャンネルch1から12の設定を変換してOC48インターフェースカードのSTSチャンネルch1から12に設定し、STSチャンネルch13から48には使われていないことを示すUnequipped (UNEQ)の設定を行う。
【００５１】
ノードA−ノードD間についても同様の手順でアップグレードを実施する。
【００５２】
次に、ノードB−ノードC間をつなぐOC12インターフェースカードをOC48インターフェースカードにアップグレードする手順を説明する。
【００５３】
ノードDとノードBのSTSスイッチカードSTS-SWを切替えて、同図(3)に実線で示すノードB−ノードA−ノードDの経路を信号が通るようにしてノードB−ノードC間の信号経路が形成されない状態にした後は、同様の手順でアップグレードを行うことで、図14に示したようなネットワーク構成になる。
【００５４】
同様の手順でノードC−ノードD間ついてもアップグレードを実施し、全でアップグレードが完了したら、全ノードでアップグレードモードを解除して、インターフェースカード種別とSTSチャンネルの設定を確定して手順を終わる。
【００５５】
図8は、図7のOC12インターフェースカードを、1枚のインターフェースカードに4本収容するQuad OC12にアップグレードした後に増加したポートに別のネットワークを接続したネットワーク構成例を示す図である。すなわち、これは、ライン単位でアップグレード切り替えを行うものである。
【００５６】
この場合のアップグレード手順は、先に説明したものと同じであるが、インターフェースカード種別変更設定時にインターフェースカードでは、OC12インターフェースカードに設定していたSOHおよびLOHに関する設定と同じ内容を変換してQuad OC12インターフェースカードのラインL1に設定し、ラインL2からラインL4に対してはOut of Serviceを設定し、STSスイッチカードSTS-SWでは、OC12インターフェースカードのSTSチャンネルch1からch12の設定を変換してQuad OC12インターフェースカードのラインL1のSTSチャンネルch1からch12に設定し、ラインL2からラインL4のSTSチャンネルch1からch12には使われていないことを示すUnequipped(UNEQ)の設定を行う。
1＋1アップグレード例
次に、本発明によりOC48 1+1ネットワークをOC192 1+1ネットワークにアップグレードを行う手順を説明する。なお、この1＋1二重化切替方式と図6に示した同方式とは、ネットワーク構成は同じであるが、STSスイッチカードSTS-SWがワーク側(W)とプロテクション側(P)に二重化されている点が異なっている。
【００５７】
図9(1)は、伝送装置1に実装されたインターフェースカードのスロット配置例を示しており、この例では、カードスロット1にOC3インターフェースカードが実装され、カードスロット3及び4にそれぞれワーク側及びプロテクション側のOC48インターフェースカードが実装されている。
【００５８】
同図(2)は、同図(1)におけるSTSスイッチカードSTS-SWの信号経路を示している。
【００５９】
アップグレードの手順は、図6(1)から(4)にアップグレードする場合と同じであるが、本実施例ではインターフェースカードIFの物理的大きさが異なるので、図5のステップS3のときにSTSスイッチカードSTS-SWのスロットチェンジ部SLOTとスイッチ部SWとブリッジ部BRに対する設定変更を必要とする。
【００６０】
なお、図9(1)のカードスロットは、受信側インターフェースカードIF(R)と送信側インターフェースカードIF(S)に共通である。但し、この例では、1つのスロットの最大伝送容量=OC48であるので、例えば、インターフェースカードIF4(R)がOC48のものであっても、図示のようにインターフェースカードIF1(S)に接続されても構わない。但し、この場合は、図6の例と同様に、OC3に伝送容量が制限されることになる。
【００６１】
図10(1)は、図5のステップS3にてカードスロット4のOC48(P)インターフェースカードの代わりにスロット5,6,11,12にOC192(P)インターフェースカードを実装した例を示している。
【００６２】
同10(2)は同図(1)におけるSTSスイッチカードSTS-SWの信号経路を示している。
【００６３】
図5のステップS3において、プロテクション側のSTSスイッチカードSTS-SW(P)にOC192インターフェースカードを使用するときのスロットチェンジ部SLOTとスイッチ部SWとブリッジ部BRの設定を書込み、インターフェースカードIF(S)のスイッチSW11〜22を制御してプロテクション側のSTSスイッチカードSTS-SW(P)を選択させてから、ワーク側のSTSスイッチカードSTS-SW(W)に同様の設定を書き込むことにより、STSスイッチカードに対する設定変更を瞬間的に行ったことと同じ効果を得る。
【００６４】
図11(1)は、既説明と同様のアップグレード手順を実施し、スロット3,4,9,10にOC192インターフェースカードを実装した例を示している。同(2)は同図(1)におけるSTSスイッチカードSTS-SWの信号経路を示している。
【００６５】
以上、説明したように既設装置のままインターフェースカードを交換することにより、インサービスアップグレードを省スペースに実現する。
【００６６】
（付記１）
複数種別の交換可能な受信側及び送信側の二重化されたインターフェースカードと、
該受信側及び送信側インターフェースカード間で、同期デジタル網の転送単位で信号経路を設定すると共にインターフェースカード単位、ライン単位、パス単位の内の少なくとも一つの二重化系を切り替える機能を有する転送単位スイッチカードと、
前記二重化されたインターフェースカードの一方を、他の種別のインターフェースカードに交換した時に、前記二重化されたインターフェースカードの他方の設定に応じて、該転送単位スイッチカード及び該交換したインターフェースカードを設定する監視部と、
を備えたことを特徴とする伝送装置。
（付記２）
複数種別の交換可能な受信側及び送信側の二重化されたインターフェースカードと、
該受信側及び送信側インターフェースカード間で、同期デジタル網の転送単位で信号経路を設定すると共にインターフェースカード単位、ライン単位、パス単位の内の少なくとも一つの二重化系を切り替える機能を有する転送単位スイッチカードと、
該切り替え時に該転送単位スイッチカード及び該送信側のインターフェースカードを制御して信号経路を設定する監視部と、
を備えたことを特徴とする伝送装置。
（付記３）付記1または付記２に記載の伝送装置のアップグレード方法であって、
インサービス中に、該二重化されたインターフェースカードの伝送容量を増加させてアップグレードさせるとき、
スタンバイ側のインターフェースカードをより大きな容量のものに交換し、
該監視部がアクティブ側のインターフェースカードの設定と同じ設定を行い、
該監視部が、該転送単位スイッチカードと送信側インターフェースカードを制御することにより、該スタンバイ側のインターフェースカードをアクティブ側に切り替えると共に、今までアクティブ側だったインターフェースカードをスタンバイ側に切り替え、そして、
該スタンバイ側に切り替えられたインターフェースカードを該容量のものに交換する、
ステップを備えたことを特徴とする伝送装置のアップグレード方法。
（付記４）付記1または付記２に記載の伝送装置のアップグレード方法であって、
該転送単位スイッチカードが二重化されており、物理的な大きさが異なるインターフェースカードに交換するか、又はアップグレードに伴って該インターフェースカードのスロットを移動させるとき、該監視部が、
二重化されている該転送単位スイッチカードのアクティブ側に旧設定を残すと共に、スタンバイ側に新設定を行い、
該送信側のインターフェースカードを制御することにより、両転送単位スイッチカード間の切替えを行い、そして、
該旧設定の転送単位スイッチカード一方に該新設定を行う、
ステップを備えたことを特徴とする伝送装置のアップグレード方法。
（付記５）付記1または付記２に記載の伝送装置のアップグレード方法であって、
該転送単位スイッチカードが二重化されており、インサービス中にその伝送容量を増加させてアップグレードさせるとき、
スタンバイ側の転送単位スイッチカードをより大きな容量のものに交換し、
該監視部が、アクティブ側の転送単位スイッチカードの設定と同じ設定を行い、
該監視部が、該送信側のインターフェースカードを制御することにより、該スタンバイ側の転送単位スイッチカードをアクティブ側に切り替えると共に、今までアクティブ側だった転送単位スイッチカードをスタンバイ側に切り替え、そして、
該スタンバイ側に切り替えられた転送単位スイッチカードを該容量のものに交換する、
ステップを備えたことを特徴とする伝送装置のアップグレード方法。
（付記６）付記３から５のいずれか一つにおいて、
該監視部がデータベースを有し、該アップグレード完了までの間は、各カードに対する設定を該データベースに記録せず、該アップグレード完了時点で該データベースに記録することを特徴とした伝送装置のアップグレード方法。
（付記７）付記３から６のいずれか一つにおいて、
該アップグレード中のみ、該交換、設定、及び切り替えを可能にすると共に、該データベースを更新不能にし、ユーザーに該アップグレード中であることを示すためのアップグレードモードを該監視部に設定することを特徴とした伝送装置のアップグレード方法。
（付記８）付記３から６のいずれか一つにおいて、
該アップグレードは、SONETにおけるユーザ・網インターフェースであるオプティカルキャリア（OC-ｎ）のレート、または、SDHにおけるユーザ・網インターフェースである同期転送モジュール（STM-ｎ）のレートが高いインターフェースカードに交換することによって行われることを特徴とした伝送装置のアップグレード方法。
（付記９）付記３から６のいずれか一つにおいて、
該アップグレードが、1枚のインターフェースカードに収容できるポート数が多いインターフェースカードに交換することによって行われることを特徴とした伝送装置のアップグレード方法。
（付記１０）付記３から６のいずれか一つにおいて、
該アップグレードが、該インターフェースカードの物理的大きさが小さいインターフェースカードに交換して空きカードスロットを確保することを特徴とした伝送装置のアップグレード方法。
（付記１１）付記１または付記２に記載の伝送装置において、
前記同期デジタル網はSONET（Synchronous Optical NETwork）またはSDH（Synchronous Digital Hierarchy）であり、
前記転送単位はそれぞれ同期転送信号（STS：Synchronous Transport Signal）
またはバーチャルコンテナ（VC：Virtual Container）であることを特徴とする伝送装置。
【図面の簡単な説明】
【００６７】
【図１】本発明に係る伝送装置の構成実施例を示すブロック図である。
【図２】スイッチ部の詳細を示す図である。
【図３】1+1ラインスイッチのときのスイッチ部(SW)とブリッジ部（BR）の信号の流れを示すブロック図である。
【図４】UPSR又は二重化無しのときのスイッチ部(SW)とブリッジ部(BR)の信号の流れを示すブロック図である。
【図５】本発明に係る伝送装置のインサービスアップグレードの手順を示すフローチャート図である。
【図６】OC12の1+1ラインスイッチをOC48にアップグレードする方法を示したブロック図である。
【図７】OC12のUPSRリングネットワーク構成をOC48にアップグレードする方法を示したブロック図である。
【図８】図7のOC12をQuad OC12にライン単位にアップグレードしたネットワーク構成例を示すブロック図である。
【図９】図6におけるインターフェースカードのスロット実装例と、このときのSTSスイッチカードの信号経路を示したブロック図である。
【図１０】図9のスロット4のOC48をOC192にSTS又はVCパス単位にアップグレードしたときのインターフェースカードのスロット実装例と、このときのSTSスイッチカードの信号経路を示したブロック図である。
【図１１】図10のスロット3のOC48をOC192にアップグレードしたときのインターフェースカードのスロットの実装例と、このときのSTSスイッチカードの信号経路を示したブロック図である。
【符号の説明】
【００６８】
1  伝送装置
IF，IF(R)，IF(S)，IF1(R)〜IFn(R)，IF1(S)〜IFn(S)  インターフェースカード
STS-SW，STS-SW(W)，STS-SW(P)  STSスイッチカード
SLOT(R)，SLOT(S)  スロットチェンジ部
SW，SW1〜SW6，S11〜S22  スイッチ部
TSI  クロスコネクト部
BR，BR1，BR2  ブリッジ部
MC  監視制御部
DB  データベース
２  端末
図中、同一符号は同一又は相当部分を示す。
【図１】
2006279176.tif 000007
【図２】
2006279176.tif 000008
【図３】
2006279176.tif 000009
【図４】
2006279176.tif 000010
【図５】
2006279176.tif 000011
【図６】
2006279176.tif 000012
【図７】
2006279176.tif 000013
【図８】
2006279176.tif 000014
【図９】
2006279176.tif 000015
【図１０】
2006279176.tif 000016
【図１１】
2006279176.tif 000017